(57)【特許請求の範囲】
【請求項１】
両側面に軸を形成された筐体と、前記筐体の両側面に設けられて前記軸に基端部の長穴により回動可能に取り付けられたアームと、前記筐体の前記軸の近傍に設けられて前記アームの回動角度を規制する突起と、前記アームの基端部に設けられて前記突起に係合する複数の凹部と、前記アームの基端部に設けられて前記凹部を前記突起に押圧し、前記突起からの脱出を前記長穴により許容する板ばねまたは線ばねとを備えた携帯端末装置の置き台。
【請求項２】
前記基端部の長穴の長軸の方向と前記板ばねまたは線ばねが前記凹部を前記突起に押圧する方向とが同一である請求項１記載の携帯端末装置の置き台。
【請求項３】
前記筐体の両側面に取り付けられた両アームの先端部を支持棒で連結した請求項２記載の携帯端末装置の置き台。
【発明の詳細な説明】
【０００１】
【産業上の利用分野】
本発明は、携帯型情報処理端末装置や携帯型無線電話装置等のような携帯端末装置の置き台に関する。
【０００２】
【従来の技術】
従来、情報処理端末装置は、事務所内のデスク等の上に設置して使用するの一般的であったが、近年の技術のめざましい進歩により、端末装置の一層の小型化が進み、携帯用の情報処理端末装置が開発されるようになった。このような背景から、屋外で使用した携帯型端末装置を事務所等に持ち帰って充電したり、集められた情報を中央処理端末装置等に送信するためのインタフェース機能を持った置き台が必要となってきた。
【０００３】
【発明が解決しようとする課題】
しかしながら、従来の携帯端末装置の置き台は、デスク等の設置面に対して角度の切り換えができず、携帯端末装置を置き台に設置した際に、光の反射により画面が見づらかったり、操作しにくという問題があった。
【０００４】
本発明は、このような従来の問題を解決するものであり、設置面に対する角度を切り換えることのできる携帯端末の置き台を提供することを目的とする。
【０００５】
【課題を解決するための手段】
本発明は、上記目的を達成するために、筐体の両側面に設けられた軸に基端部の長穴により回動可能に取り付けられたアームと、このアームの回動角度を規制する筐体に設けられた突起およびこの突起に係合するアーム基端部に設けられた複数の凹部と、この凹部を突起に押圧するとともに、突起からの脱出をアーム基端部の長穴により許容するばねとを備えものである。
【０００６】
【作用】
したがって本発明によれば、アームを回動させることにより、アームの回動角度を規制する突起が別の凹部に嵌まり込んで、設置面に対する角度を切り換えることができるとともに、この角度の切換および保持を１つのばねにより行なうので、構成の簡単な角度切換機能付きの置き台を実現することができる。
【０００７】
【実施例】
以下、本発明の一実施例について図面を参照しながら説明する。図１は本発明の一実施例における携帯端末装置の置き台の後方から見た外観を示している。図１において、筐体１は、その上面の載置面２に携帯端末装置が載置される。筐体１の両側の側面３は、矢印Ｆで示す前方から後方にかけて次第に幅広に形成されて、載置面２が後方側が高くなるように形成されている。筐体１の両側面３の中央部から後方寄りには、角度切換機構４が設けられている。角度切換機構４は、筐体１の両側面３に基端部５ａを回動可能に設けられたアーム５を備え、アーム５の先端部５ｂには支持棒６が連結されている。アーム５を矢印Ａ方向に回動させると、筐体１の載置面２と支持棒６との距離が大きくなり、載置面２の傾斜角度が大きくなる。置き台の後部の荷重は、主として支持棒６で受けられる。
【０００８】
図２は角度切換機構４の詳細を示している。筐体１の両側面３には、アーム５を収容する凹部７が形成されている。凹部７には、円形のボス８が形成され、その近くに矩形円弧状の突起９が形成されている。８ａはボス８の中心部に形成されたねじ穴である。アーム５は、大径の基端部５ａと小径の先端部５ｂを有し、大径の基端部５ａの中心部にはボス８が貫通する長穴１０が形成されている。基端部５ａは、浅い有底円筒状に形成され、その裏側には、図２（ｂ）に示すように、底部の長穴１０の周囲に、先端部５ｂとは反対側を開放したＵ字状のガイドリブ１１が形成され、円筒部の内壁には、ガイドリブ１１の開放端の左右にそれぞれ板ばね１２の端部を係止する係止リブ１３、１４と、先端部５ｂ側に３つの凸部１５、１６、１７によって形成された２つの凹部１８、１９が形成されている。中央の凸部１６は他の凸部１５、１７よりも長く、その両側面は傾斜して、凹部１８または１９に係合する筐体側面３の突起９の移動を保証するようになっている。アーム５の先端部５ｂの裏側には、支持棒６の両端部のＤカット部６ａに嵌合するＤ字穴２０が形成されており、先端部５ｂの外径と支持棒６の外径は同じになっている。
【０００９】
上記した角度切換機構４の組み立ては次のようにして行なわれる。まず、板ばね１２の両端部を、係止リブ１３、１４に、ガイドリブ１１により多少弾性変形させた状態で取り付ける。次に、板ばね１２を取り付けたアーム５の基端部５ａを、凹部１８、１９のいずれかを筐体側面３の突起９に合わせながら、かつ長穴１０をボス８に合わせながら押し込む。次に、長穴１０から僅かに突出したボス８の先端部に平ワッシャ２１を挿入してねじ２２をボス８のねじ穴８ａにねじ込んで固定する。次に、一方の側のアーム５の先端部５ｂに支持棒６の一端側のＤカット部６ａを挿入固定した後、他方の側のアーム５の先端部５ｂにも支持棒６の他端側のＤカット部６ａを挿入固定し、同様にしてアーム５の基端部５ａを筐体側面３に取り付ける。
【００１０】
次に上記実施例の角度切換動作について図３および図４を参照して説明する。図３および図４は、アーム５を筐体側面３に取り付けた状態においてアーム５を側面３に沿って断面した図である。図３（ａ）は角度切換のための回転動作が行なわれていないホームポジションに位置する状態であり、筐体側面３の突起９が第１の凹部１８に嵌まり込んでいる。また、係止リブ１３、１４に係止された板ばね１２の反力により、ボス８がガイドリブ１１に押圧されているため、アーム５のがたつきは生じない。次に、アーム５を角度切換のために矢印Ａ方向に回動させると、図３（ｂ）のように、中央の凸部１６が突起９を乗り越え始める。これに伴い、アーム５は全体的に矢印Ｂ方向に移動し初め、板ばね１２はボス８によって撓められる。この動きは、アーム５の長穴１０によって許容される。アーム５をさらに矢印Ａ方向に回動させると、図４（ａ）のように、中央の凸部１６が突起９に乗り上げ、板ばね１２はボス８により最大の変形を受ける。そしてさらにアーム５を矢印Ａ方向に回動させると、図４（ｂ）のように、アーム５全体は、板ばね１２の復帰力により矢印Ｃ方向に戻り、突起９が第２の凹部１９に嵌まり込んで、アーム５がその位置で固定され、角度切換動作が終了する。アーム５を元のホームポジションの位置に戻すためには、アーム５をＡ方向とは逆方向に回動させればよい。
【００１１】
上記実施例において、中央の凸部１６の円周方向の距離を変えることにより、切換角度を任意に設定することができる。また、２個の凹部１８、１９を３個にすれば、３段階の角度切換を行なうことができる。また、凸部１５をなくして凹部１８をなくし、ホームポジションにおいてアーム５を筐体側面３の凹部７の壁面７ａで支持するようにしてもよい。さらに、突起９の代わりにピン、板ばね１２の代わりにピアノ線を使用してもよく、場合によっては連結棒６を省略してもよい。その他、本実施例を種々に変更することができる。
【００１２】
【発明の効果】
本発明は、上記実施例から明らかなように、筐体の両側面に設けられた軸に基端部の長穴により回動可能に取り付けられたアームと、このアームの回動角度を規制する筐体に設けられた突起およびこの突起に係合するアーム基端部に設けられた複数の凹部と、この凹部を突起に押圧するとともに、突起からの脱出をアーム基端部の長穴により許容するばねとを備えているので、アームを回動させることにより、アームの回動角度を規制する突起が別の凹部に嵌まり込んで、設置面に対する角度を切り換えることができるとともに、この角度の切換および保持を１つのばねにより行なうので、構成の簡単な角度切換機能付きの置き台を実現することができる。
【図面の簡単な説明】
【図１】本発明の一実施例における置き台を後方から見た斜視図
【図２】同置き台における角度切換機構の分解斜視図
【図３】同置き台における角度切換動作を示す部分断面図
【図４】同置き台における角度切換動作を示す部分断面図
【符号の説明】
１  筐体
２  載置面
３  側面
４  角度切換機構
５  アーム
６  支持棒
７  凹部
８  ボス
９  突起
１０  長穴
１１  ガイドリブ
１２  板ばね
１３、１４  係止リブ
１５、１６、１７  凸部
１８、１９  凹部
２０  Ｄ字穴
２１  平ワッシャ
２２  ねじ
【図１】
0003634002.tif 000002
【図２】
0003634002.tif 000003
【図３】
0003634002.tif 000004
【図４】
0003634002.tif 000005